(57)【要約】【課題】室内に設置可能な滑り台装置の提供。【解決手段】本発明は、滑り台本体１１０と、エアポンプ１３３を備えたタンク１３５と、支持体とを備えた滑り台装置１００である。滑り台本体１１０は、上下に開口部（１１６a、１１６ｂ）が形成された中空の構造であり、当該滑り台本体１１０の下部はタンク１３５により支持されている。そして、滑り台本体１１０の下側の開口部１１６aへ空気を送出するエアポンプ１３３を備えた空気送出機構１３０がタンク１３５に設けられている。更に、支持体が、滑り台本体１１０の上部を支持している。そして、滑り台本体１１０の中空に液体を満たし、当該中空にエアポンプ１３３により空気を送出することを特徴とする。【選択図】図１
2012100730.tif 000002
【特許請求の範囲】
【請求項１】
上下に開口部が形成された中空の滑り台本体と、
前記滑り台本体の下部を支持するタンクと、
前記タンクに設けられ、前記滑り台本体の下側の開口部へ空気を送出するエアポンプを備えた空気送出機構と、
前記滑り台本体の上部を支持する支持体とを備え、
前記滑り台本体の中空に液体を満たし、当該中空に前記エアポンプにより空気を送出することを特徴とする滑り台装置。
【請求項２】
前記液体の流れを遮断する逆止弁を前記エアポンプに備えた請求項１に記載の滑り台装置。
【請求項３】
前記支持体が階段状に形成された設置台であり、当該設置台上部にユーザの落下を防止する部材を設けた請求項１または２に記載の滑り台装置。
【請求項４】
前記滑り台装置の一部に衝撃吸収材を被覆した請求項１または２に記載の滑り台装置。
【請求項５】
前記衝撃吸収材がウレタンである請求項４に記載の滑り台装置。
【発明の詳細な説明】
【技術分野】
【０００１】
本発明は、遊具に関し、特に、子供等のユーザが滑り降りることのできる滑り台装置に関する。
【背景技術】
【０００２】
従来、例えば、遊園地に設置可能な滑り台として、下記特許文献１に記載の技術のように、滑り台の滑降面上に流水装置を設けて、ユーザが、滑降面上に流れる水と共に滑り降りるように構成された滑り台装置（ウォータースライダと呼ばれる）が知られている。
【先行技術文献】
【特許文献】
【０００３】
【特許文献１】特開２００３−３３４５９号公報
【発明の概要】
【発明が解決しようとする課題】
【０００４】
ところが、上記従来のウォータースライダは多量の水が必要であり、装置も大掛かりなので、室内に設置できなかった。更に、滑降面上に水が流れることで、ユーザと滑降面との摩擦抵抗が減少するので、滑降スピードがより速くなるため、体格的に発育した青少年以上の者には適しているものの、幼児が利用することができなかった。
本発明は、以上の実情に鑑みなされたものであって、幼児が手軽に楽しむことができ、しかも室内に設置可能な滑り台装置の提供を目的とする。
【課題を解決するための手段】
【０００５】
上記課題を達成するための本発明は、滑り台本体と、エアポンプを備えたタンクと、支持体とを備えた滑り台装置である。滑り台本体は、上下に開口部が形成された中空の構造であり、当該滑り台本体の下部はタンクにより支持されている。そして、滑り台本体の下側の開口部へ空気を送出するエアポンプを備えた空気送出機構がタンクに設けられている。更に、支持体が、滑り台本体の上部を支持している。そして、滑り台本体の中空に液体を満たし、当該中空にエアポンプにより空気を送出することを特徴とする。液体の流れを遮断する逆止弁をエアポンプに備える構成を採用してもよい。
【０００６】
上記の構成によれば、滑り台本体の中空に満たした液体（例えば水）にエアポンプからの空気の泡が送出されるので、エアポンプによる多数の泡が上方に移動することになる。従って、当該泡の移動を目で追うことによって、ユーザの興味を持続させる遊具を提供することができる。
上記の構成において、支持体が階段状に形成された設置台であり、当該設置台上部にユーザの落下を防止する部材を設ける構成を採用することができる。滑り台装置の一部にウレタン等の衝撃吸収材を被覆することが望ましい。
【発明の効果】
【０００７】
本発明の滑り台装置は、滑り台本体と、エアポンプを備えたタンクと、支持体とを備えた滑り台装置である。滑り台本体は、上下に開口部が形成された中空の構造であり、当該滑り台本体の下部はタンクにより支持されている。そして、滑り台本体の下側の開口部へ空気を送出するエアポンプがタンクに設けられている。更に、支持体が、滑り台本体の上部を支持している。そして、滑り台本体の中空に液体を満たし、当該中空にエアポンプにより空気を送出することを特徴とする。
【０００８】
上記の構成によれば、滑り台本体の中空に満たした液体（例えば水）にエアポンプからの空気の泡が送出されるので、エアポンプによる多数の泡が上方に移動することになる。従って、当該泡の移動を目で追うことによって、ユーザの興味を持続させる遊具を提供することができる。また、エアポンプを滑り台本体の外部に設置することで、修理や変更等のメンテナンスに優れた遊具を提供することが可能となる。
【図面の簡単な説明】
【０００９】
【図１】本発明の実施形態に係る滑り台装置の全体構成を示す図である。
【図２】本発明の実施形態に係る滑り台装置の滑り台本体を示す図である。
【図３】本発明の実施形態に係る滑り台装置の全体構成を示す図である。
【図４】本発明の実施形態に係る滑り台装置の側面図及び、上面図である。
【図５】本発明の実施形態に係る滑り台装置の支持体である設置台を示す図である。
【発明を実施するための形態】
【００１０】
以下に、本発明の滑り台装置１００について図面を参照して説明する。図１、図３、図４は、本発明の滑り台装置１００の概略模式図であり、図２は滑り台装置１００の側面図を示し、図５は後述の支持体を示している。ただし、本発明に直接には関係しない各部の詳細は省略している。
図１に示すように、本発明の滑り台装置１００は、滑走面に平行な中空部が形成された滑り台本体１１０と、当該滑り台本体１１０の中空部内に貯められた水等の流体に、空気の泡を送出するための空気送出機構１３０を備える。
【００１１】
まず、滑り台本体１１０を以下のようにして形成する。図２に示すように、側面の断面形状が略Ｓ字形状（できるだけ滑らかな形状が望ましい。）をした上側滑り台部材１１１を形成する。本実施例では、上記略Ｓ字形状傾斜部材に、所定の高さの側面部材１１２と、上部部材１１３を立設又は、連続的一体的に形成して、上側滑り台部材１１１を形成した。側面部材１１２は、傾斜部材の側面縁部に立設又は、連続的一体的に形成する。なお、傾斜部材の下部から、後述のポンプにより空気が送出されるため、滑り台本体１１０の下方には開口部１１６aが形成されることになる。また、上側滑り台部材１１１の両側面に側壁１１９を立設し、ユーザが側面から落下することを防止する構成を採用する。次に、上記上側滑り台部材１１１の幅よりも、所定距離短い幅（上記側面部材１１２間と略同じ距離）で、下側滑り台部材１１５を形成する。なお、下側滑り台部材１１５の側面の断面形状は、上側滑り台部材１１１の側面の断面形状と略同じように成形される。
【００１２】
上記上側滑り台部材１１１の上部及び下部は、水平に形成されており、滑り台本体１１０を組み立てたとき、後述のように、当該水平部分が、設置台１５０及び、タンク部１３５に載置可能となっている。
そして、上記上側滑り台部材１１１と下側滑り台部材１１５を組みたて、滑り台本体１１０を形成する。すなわち、上側滑り台部材１１１に上記側面部材１１２及び、上部部材１１３を形成した状態で、当該上側滑り台部材１１１に下側滑り台部材１１５を固定する。若しくは、下側滑り台部材１１５に上記側面部材１１２及び、上部部材１１３を形成した状態で、当該下側滑り台部材１１５に上側滑り台部材１１１を固定することもできる。本実施例では、上記側面部材１１２と上部部材１１３を上側滑り台部材１１１に立設又は連続的一体的に形成する。これは、上側滑り台部材１１１に下側滑り台部材１１５をビス等で固定する際に、ビス等のねじ頭が上側滑り台部材１１１の表側に突出しないようにするためである。上記のように、上記側面部材１１２の下端にビス等を用いて、上側滑り台部材１１１と、下側滑り台部材１１５とを固定し、中空構造の滑り台本体１１０を形成する。上記上側滑り台部材１１１の上部部材１１３、側面部材１１２を立設した方が裏側となり、表側が滑走面となる。
【００１３】
上記のように、上側滑り台部材１１１に、下側滑り台部材１１５を固定することで、滑り台本体１１０を形成する。従って、上記滑り台本体１１０は、滑走面と平行な中空部を備え、滑り台本体の下部には下部開口部１１６aを備えた構成となる。
後述のように、上記滑り台本体１１０の中空部に水等の液体が注入され、当該滑り台本体１１０下方から空気が送出される構成となるので、上記上側滑り台部材１１１と、下側滑り台部材１１５とを固定する際に、上側滑り台部材１１１の上部部材１１３、側面部材１１２と、下側滑り台部材１１５とは、水等が漏れないように液密に固定されることは言うまでもない。なお、後述の空気の泡を排出するための上部開口部１１６ｂが上記滑り台本体１１０に設けられることになる。
【００１４】
更に、上記滑り台本体１１０に空気を送出するための空気送出機構１３０が、上記滑り台本体１１０下方に設けられる。上記空気送出機構１３０は、空気が通過可能な細孔を多数形成した中空の筒体１３１と、空気を送出可能なエアポンプ１３３と、当該エアポンプ１３３で発生させた空気を滑り台本体１１０下部に備えた上記中空の筒体１３１に送出させるためのパイプ１３２とからなる。もちろん上記パイプ１３２は下部開口部１１６aを連通して上記中空の筒体１３１に連結することは言うまでもない。
【００１５】
そして、上記滑り台本体１１０を下方で支持するためのタンク１３５を用意する。上記タンク１３５は、図１に示すように、タンク１３５上に滑り台本体１１０の下部水平部分が載置される構成を採用した。
上記タンク１３５には、エアポンプ１３３が備えられる。図１に示すように、上記エアポンプ１３３に備えた吸込口からタンク１３５内の空気が吸い込まれ、エアポンプ１３３吐出口から空気が吐出されることになる。なお、エアポンプ１３３の下方には吸込口が備えられている。
【００１６】
上記エアポンプ１３３の吐出口には、パイプ１３２の一端が連結され、エアポンプ１３３の吐出口から吐出された空気を上記パイプ１３２他端まで伝えることになる。上記パイプ１３２の他端は、滑り台本体１１０下部に設けた下部開口部１１６aに連結される。滑り台本体１１０の中空部に貯められた水等の液体が上記パイプ１３２へと逆流しないように、当該パイプ１３２は、上方に凸の曲線となるように、上記下部開口部１１６aとエアポンプ１３３とを連結する構成を採用する。更に、上記逆流を遮断するための逆止弁（図示しない）を上記エアポンプ１３３に設ける構成を採用してもよい。
【００１７】
上記のように構成した滑り台本体１１０は、支持体で支持されることになる。上記支持体として、図３に示すような、架台１４０を設置し、当該架台１４０に、上記滑り台本体１１０上部を配置する構成を採用してもよい。若しくは、図４、図５に示すような設置台１５０を形成し、滑り台本体１１０を支持する構成を採用することもできる。
上記設置台１５０は以下に示すように形成される。床面に配置される基体１５１の両側面に支柱１５２を立設する。そして、パイプを環状に形成した複数の環状部材１５５を、互いに所定間隔空けて上記両支柱１５２間に階段状に配置する。すなわち、設置台１５０を上面視したとき、環状部材１５５を互いに所定距離だけずらして、上記支柱間１５２に配置する。なお、環状部材１５５の外径は、上記両支柱１５２間に配置可能な距離で形成されることは言うまでもない。階段状に配置した上記環状部材１５５に手すりを設けてもよい。
【００１８】
両支柱１５２間に配置された環状部材１５５の内、最上段の環状部材１５５上にはユーザの落下を防止するための床材（図示しない）が載置される、更に、当該最上段の環状部材１５５上には、上記滑り台本体１１０の上部水平部分が載置されるので、最上段の環状部材１５５の高さが上記滑り台本体１１０を載置可能な高さになるように、設置台１５０全体の高さを調整する。また、滑り台本体１１０は、上記タンク１３５上にも載置されるので、最上段の環状部材１５５と、床面に設置した上記タンク１３５との間に、上記滑り台本体１１０が載置可能なように、上記最上段の環状部材１５５の高さを調整する。図５に示すように、最上段の環状部材１５５には、上記滑り台本体１１０を載置するための横桟１６０を備える。
【００１９】
最上段の環状部材１５５には、ユーザが起立状態で掴まることが可能な側面部材を設置する。本実施例では、最上台の環状部材の両側面に一対の環状部材（以下側面環状部材１５６と称す）を立設して上記側面部材とした。ユーザが最上段の環状部材１５５まで登ったとき、その側面から落下するのを防止するために、側面部材には、落下防止手段を備える。例えば、側面環状部材１５６の内径（以下環状部分の径を示す。）より小さな外径を有する小環状部材１５７，１５８（互いの外径を異にして形成する）を複数形成し、大小の環状部材の中心軸が上記側面環状部材１５６の中心軸と略同一となるように、上記小環状部材１５７，１５８を配置した。例えば、上記基体１５１側面に立設された支柱１５２を延長して、当該支柱１５２に、上記大小の環状部材１５７，１５８を支持させる。そして、中心に位置する小環状部材１５８の隙間をシート等で覆う構成とした。
【００２０】
上記設置台１５０には、所定の衝撃吸収材が被覆される。この衝撃吸収材は、設置台１５０の外枠にウレタン等の発泡体を被覆する。例えば、中級円筒の衝撃吸収材の一方側面を切断して棒状の表面に被覆可能に形成する。そして、設置台１５０の全部又は、一部（例えば、環状部材１５５等ユーザが接触することが予想される部分）に衝撃吸収材を被覆した後、当該衝撃吸収材の表面に、ゴム樹脂を塗布することで、衝撃吸収材の表面を撥水加工する。もちろん、ゴム樹脂を塗布する際に、上記衝撃吸収材の側面（切断した部分）も接着剤等で閉じられることになる。なお、上記衝撃吸収材は、ウレタン以外の組成物であってもよく、ポリエチレン等の発泡体等の衝撃吸収材が好適に用いられる。
【００２１】
上記設置台１５０を衝撃吸収材で被覆することで、ユーザが誤って遊具から落下したとしても、衝撃吸収材によって衝撃が緩和され怪我をするのを効果的に防止することができる。上記タンク１３５を上記衝撃吸収材で被覆する構成を採用しても構わない。
次に、本発明の滑り台装置１００の使用方法を説明する。まず、上側滑り台部材１１１と下側滑り台部材１１５とを組み合わせた滑り台本体１１０を設置台１５０（若しくは架台１４０）及び、タンク１３５に載置する。すなわち、滑り台本体１１０が、タンク１３５と設置台１５０（若しくは架台１４０）で支持される。
【００２２】
次に、水等の液体（以下水を例にして説明する）を上記滑り台本体１１０の中空部に満たす。このとき、上記滑り台本体１１０上部開口から上記水が漏れない程度まで当該水を満たすことは言うまでもない。そして、タンク１３５内のエアポンプ１３３のスイッチをＯＮすることでエアポンプ１３３が作動し、エアポンプ１３３のポンプ吐出口から空気を吐出する。ポンプ吐出口から吐出された空気は、空気の泡としてパイプを介して、上記滑り台本体１１０中空部に送出される。送出された空気の泡は上記滑り台本体上部に設けた上部開口から外部へと排出されることになる。
【００２３】
ユーザは、設置台１５０の階段状に配置された環状部材１５５を使って、最上段の環状部材１５５に備えた床材上まで登る。このとき、ユーザは、側面部材（上記側面環状部材１５６及び、小環状部材１５７，１５８）に掴まって安定に起立することができる。若しくは、架台１４０に登ることでも安定に起立することができる。そして、ユーザがノズル１４３から水が噴出している滑り台本体１１０の滑走面を滑り降りることで、いわゆる滝すべり（ウォータースライダ）をしている気分にさせることができる。
【００２４】
エアポンプ１３３は、加圧により、吸込口から空気を吸い込むので、当該エアポンプ１３３の圧力を制御することで、滑り台本体１１０の中空部分に送出される空気の勢い等を変化させることも可能である。
以上説明したように、本発明の滑り台装置１００によれば、大量の水を必要とせずに、ユーザにウォータースライダをしている気分にさせることができる。更に、本発明の滑り台装置１００のエアポンプ１３３は滑り台本体１１０の外部に設けているので、エアポンプ１３３の修理、変更等のメンテナンスも簡単に行えることとなる。
【産業上の利用可能性】
【００２５】
本発明を使用すると、簡単な構成で、いわゆるウォータースライダをしている気分にさせる滑り台を提供することができる。更に、本発明の滑り台装置は、大量の水を必要としないので、手軽に室内等に設置することが可能である。また、エアポンプを滑り台本体の外部に設置することで、修理や変更等のメンテナンスに優れた遊具を提供することが可能となる。したがって、その産業上の利用可能性は大きい。
【符号の説明】
【００２６】
１００  滑り台装置
１１０  滑り台本体
１１１  上側滑り台部材
１１２  側面部材
１１３  上部部材
１１５  下側滑り台部材
１３０  空気送出機構
１３５  タンク
１３３  エアポンプ
１４０  架台
１５０  設置台
【図１】
2012100730.tif 000003
【図２】
2012100730.tif 000004
【図３】
2012100730.tif 000005
【図４】
2012100730.tif 000006
【図５】
2012100730.tif 000007